(57)【要約】【課題】携帯電話機において、情報の表示を行いつつ表示面が発する光を抑制し、さらに消費電力を低減することが可能な技術を提供する。【解決手段】携帯電話機１００は、下側表示部１２が収められた下側筐体２と、下側表示面部１２の下側表示面１２ａ上をスライド可能な筐体であって、タッチパネル機能を有する上側表示部１１が収められた上側筐体１とを備えている。上側筐体１と下側筐体２の位置関係が、下側表示面１２ａの一部が上側筐体１から露出するような位置関係をとる場合には、上側表示部１１の上側表示面１１ａの全領域の表示がオフであるとともに、下側表示面１２ａの露出部分１２ａａに情報が表示され、上側表示面１１ａに対して所定の操作が行われると、露出部分１２ａａに表示される情報が切り替わる。【選択図】図４
2011124890.tif 000002
【特許請求の範囲】
【請求項１】
第１表示部の第１表示面が表面から露出するように当該第１表示部が収められた第１筐体と、
互いに対向する第１の面及び第２の面を有し、当該第１の面を前記第１筐体側として前記第１表示面上をスライド可能な筐体であって、タッチパネル機能を有する第２表示部の第２表示面が前記第２の面から露出するように当該第２表示部が収められた第２筐体と、
前記第１及び第２表示部の表示を制御する表示制御部と、
前記第２表示面に対する操作の内容を特定する操作内容特定部と、
前記第１及び第２筐体の位置関係を特定する位置関係特定部と
を備え、
前記第１及び第２筐体は、
前記第２筐体が前記第１表示面上をスライドすることによって、
前記第１表示面の全領域が前記第２筐体で覆われた第１の位置関係と、
前記第１及び第２表示面の全領域が視認可能な第２の位置関係と、
前記第１表示面の一部が前記第２筐体から露出する第３の位置関係と
をとることができ、
前記位置関係特定部での特定の結果、前記第１及び第２筐体の位置関係が前記第３の位置関係である場合には、
前記表示制御部の制御により、前記第２表示面の全領域の表示がオフであるとともに、前記第１表示面の前記一部に情報が表示され、
前記操作内容特定部が前記第２表示面に対して所定の操作が行われたことを特定すると、前記表示制御部の制御により、前記第１表示面の前記一部に表示される情報が切り替わる、携帯電話機。
【請求項２】
請求項１に記載の携帯電話機であって、
前記操作内容特定部が前記第２表示面に対して前記所定の操作が行われたことを特定すると、前記第１表示面の前記一部の表示がスクロールすることによって、前記第１表示面の前記一部に表示される情報が切り替わる、携帯電話機。
【請求項３】
請求項１及び請求項２のいずれか一つに記載の携帯電話機であって、
前記位置関係特定部での特定の結果、前記第１及び第２筐体の位置関係が前記第３の位置関係である場合には、
前記表示制御部の制御により、前記第１表示面における前記一部以外の部分の表示がオフである、携帯電話機。
【請求項４】
請求項１乃至請求項３のいずれか一つに記載の携帯電話機であって、
前記第１表示面の前記一部に表示される情報を設定するための設定画面が、前記第１及び第２表示面の少なくとも一方に表示される、携帯電話機。
【請求項５】
請求項１乃至請求項４のいずれか一つに記載の携帯電話機であって、
前記第１表示面の前記一部に表示される情報を制限するか否かを設定するための設定画面が、前記第１及び第２表示面の少なくとも一方に表示される、携帯電話機。
【請求項６】
請求項１乃至請求項５のいずれか一つに記載の携帯電話機であって、
前記第１表示面の前記一部の輝度を設定するための設定画面が、前記第１及び第２表示面の少なくとも一方に表示される、携帯電話機。
【請求項７】
請求項１乃至請求項６のいずれか一つに記載の携帯電話機であって、
前記第１表示面の前記一部には、通話の着信履歴、電子メールの受信履歴及びＷｅｂサイトからの配信ニュースの少なくとも一つが表示される、携帯電話機。
【請求項８】
請求項７に記載の携帯電話機であって、
前記第１表示面の前記一部には通話の着信履歴が表示され、
無線通信を行う無線通信部と、
前記無線通信部を制御する通信制御部と
を備え、
前記操作内容特定部が、前記第１表示面の前記一部に表示されている前記着信履歴を選択する選択操作が前記第２表示面に対して行われたことを特定し、その後、前記位置関係特定部が、前記第１及び第２筐体の位置関係が前記第３の位置関係から前記第１の位置関係になったと特定すると、前記通信制御部は、前記無線通信部を制御して、選択された前記着信履歴に係る通話相手先に発信を行う、携帯電話機。
【請求項９】
請求項７及び請求項８のいずれか一つに記載の携帯電話機であって、
前記第１表示面の前記一部には通話の着信履歴が表示され、
前記位置関係特定部が、前記第１及び第２筐体の位置関係が前記第３の位置関係から前記第２の位置関係になったと特定すると、前記第１及び第２表示面の少なくとも一方に通話の着信履歴が一覧表示される、携帯電話機。
【請求項１０】
請求項７に記載の携帯電話機であって、
前記第１表示面の前記一部には電子メールの受信履歴が表示され、
前記操作内容特定部が、前記第１表示面の前記一部に表示されている前記受信履歴を選択する選択操作が前記第２表示面に行われたことを特定し、その後、前記位置関係特定部が、前記第１及び第２筐体の位置関係が前記第３の位置関係から前記第１の位置関係になったと特定すると、選択された受信履歴に係る電子メールの閲覧画面が前記第２表示面に表示される、携帯電話機。
【請求項１１】
請求項７及び請求項１０のいずれか一つに記載の携帯電話機であって、
前記第１表示面の前記一部にはメールの受信履歴が表示され、
前記操作内容特定部が、前記第１表示面の前記一部に表示されている前記受信履歴を選択する選択操作が前記第２表示面に行われたことを特定し、その後、前記位置関係特定部が、前記第１及び第２筐体の位置関係が前記第３の位置関係から前記第２の位置関係になったことを特定すると、選択された受信履歴に係る電子メールに対する返信メールの編集画面が前記第１及び第２表示面の少なくとも一方に表示される、携帯電話機。
【請求項１２】
請求項１１に記載の携帯電話機であって、
前記操作内容特定部が、前記第１表示面の前記一部に表示されている前記受信履歴を選択する選択操作が前記第２表示面に行われたことを特定し、その後、前記位置関係特定部が、前記第１及び第２筐体の位置関係が前記第３の位置関係から前記第２の位置関係になったことを特定すると、選択された受信履歴に係る電子メールに対する返信メールの編集画面が前記第１及び第２表示面の一方に表示され、選択された受信履歴に係る電子メールの閲覧画面が前記第１及び第２表示面の他方に表示される、携帯電話機。
【請求項１３】
請求項１０乃至請求項１２のいずれか一つに記載の携帯電話機であって、
前記位置関係特定部が、前記第１及び第２筐体の位置関係が前記第３の位置関係になったことを特定した後に前記第２表示面に対して前記選択操作が行われずに、前記位置関係特定部が、前記第１及び第２筐体の位置関係が前記第３の位置関係から前記第２の位置関係になったことを特定すると、前記第１及び第２表示面の少なくとも一方に電子メールの受信履歴が一覧表示される、携帯電話機。
【請求項１４】
請求項８乃至請求項１３のいずれか一つに記載の携帯電話機であって、
前記位置関係特定部が、前記第１及び第２筐体の位置関係が前記第３の位置関係になったことを特定した後に前記第２表示面に対して前記選択操作が行われずに、前記位置関係特定部が、前記第１及び第２筐体の位置関係が前記第３の位置関係から前記第１の位置関係になったことを特定すると、前記第１表示面の全領域の表示がオフのままで前記第２表示面の全領域の表示がオフになる、携帯電話機。
【請求項１５】
請求項１乃至請求項１４のいずれか一つに記載の携帯電話機であって、
前記携帯電話機の姿勢を検出する姿勢検出部をさらに備え、
前記表示制御部は、前記姿勢検出部で検出された前記姿勢に応じて、前記第１表示面の前記一部に表示する情報の種類を変更する、携帯電話機。
【請求項１６】
請求項１乃至請求項１５のいずれか一つに記載の携帯電話機であって、
前記表示制御部は、
前記第１表示面の前記一部に表示すべき情報が存在しない場合には、当該一部にその旨を表示する、携帯電話機。
【請求項１７】
請求項１乃至請求項１６のいずれか一つに記載の携帯電話機であって、
前記表示制御部は、
前記第１表示面の前記一部に表示すべき情報が存在しない場合には、前記第１表示面において少なくとも前記一部の表示をオフにする、携帯電話機。
【請求項１８】
請求項１に記載の携帯電話機であって、
無線通信を行う無線通信部と、
前記無線通信部を制御する通信制御部と
を備え、
前記表示制御部は、
前記第１及び第２筐体の位置関係が前記第３の位置関係である場合に、前記通信制御部が前記無線通信部での通話の着信を検出すると、当該着信を前記第１表示面の前記一部に表示する、携帯電話機。
【請求項１９】
請求項１８に記載の携帯電話機であって、
前記通信制御部は、通話の着信中に、前記位置関係特定部が前記第１及び第２筐体の位置関係が前記第３の位置関係から前記第１の位置関係になったことを特定すると、前記無線通信部を制御して着信応答を行う、携帯電話機。
【発明の詳細な説明】
【技術分野】
【０００１】
本発明は、２つの表示部を有する携帯電話機に関する。
【背景技術】
【０００２】
従来から携帯電話機に関して様々な技術が提案されている。例えば特許文献１及び２には、２つの表示部を有する携帯電話機に関する技術が開示されている。また、表示装置に関する技術が特許文献３に開示されている。
【先行技術文献】
【特許文献】
【０００３】
【特許文献１】特開２００７−１８９４１０号公報
【特許文献２】特開２００９−７１５８８号公報
【特許文献３】特開平１−２８２５８７号公報
【発明の概要】
【発明が解決しようとする課題】
【０００４】
携帯電話機においては、高機能化や大画面化等にともなって、消費電力が増大する傾向にある。
【０００５】
一方で、映画館等の暗い場所においては、携帯電話機の表示面が発する光が周囲の邪魔となることがある。また、就寝中に通話の着信やメール受信があり、携帯電話機の表示を確認する際には、携帯電話機の表示面が発する光がまぶしく感じられることがある。
【０００６】
そこで、本発明は上述の点に鑑みて成されたものであり、携帯電話機において、情報の表示を行いつつ表示面が発する光を抑制し、さらに消費電力を低減することが可能な技術を提供することを目的とする。
【課題を解決するための手段】
【０００７】
上記課題を解決するため、本発明に係る携帯電話機は、第１表示部の第１表示面が表面から露出するように当該第１表示部が収められた第１筐体と、互いに対向する第１の面及び第２の面を有し、当該第１の面を前記第１筐体側として前記第１表示面上をスライド可能な筐体であって、タッチパネル機能を有する第２表示部の第２表示面が前記第２の面から露出するように当該第２表示部が収められた第２筐体と、前記第１及び第２表示部の表示を制御する表示制御部と、前記第２表示面に対する操作の内容を特定する操作内容特定部と、前記第１及び第２筐体の位置関係を特定する位置関係特定部とを備え、前記第１及び第２筐体は、前記第２筐体が前記第１表示面上をスライドすることによって、前記第１表示面の全領域が前記第２筐体で覆われた第１の位置関係と、前記第１及び第２表示面の全領域が視認可能な第２の位置関係と、前記第１表示面の一部だけが前記第２筐体から露出する第３の位置関係とをとることができ、前記位置関係特定部での特定の結果、前記第１及び第２筐体の位置関係が前記第３の位置関係である場合には、前記表示制御部の制御により、前記第２表示面の全領域の表示がオフであるとともに、前記第１表示面の前記一部に情報が表示され、前記操作内容特定部が前記第２表示面に対して所定の操作が行われたことを特定すると、前記表示制御部の制御により、前記第１表示面の前記一部に表示される情報が切り替わる。
【０００８】
また、本発明に係る携帯電話機の一態様では、前記操作内容特定部が前記第２表示面に対して前記所定の操作が行われたことを特定すると、前記第１表示面の前記一部の表示がスクロールすることによって、前記第１表示面の前記一部に表示される情報が切り替わる。
【０００９】
また、本発明に係る携帯電話機の一態様では、前記位置関係特定部での特定の結果、前記第１及び第２筐体の位置関係が前記第３の位置関係である場合には、前記表示制御部の制御により、前記第１表示面における前記一部以外の部分の表示がオフである。
【００１０】
また、本発明に係る携帯電話機の一態様では、前記第１表示面の前記一部に表示される情報を設定するための設定画面が、前記第１及び第２表示面の少なくとも一方に表示される。
【００１１】
また、本発明に係る携帯電話機の一態様では、前記第１表示面の前記一部に表示される情報を制限するか否かを設定するための設定画面が、前記第１及び第２表示面の少なくとも一方に表示される。
【００１２】
また、本発明に係る携帯電話機の一態様では、前記第１表示面の前記一部の輝度を設定するための設定画面が、前記第１及び第２表示面の少なくとも一方に表示される。
【００１３】
また、本発明に係る携帯電話機の一態様では、前記第１表示面の前記一部には、通話の着信履歴、電子メールの受信履歴及びＷｅｂサイトからの配信ニュースの少なくとも一つが表示される。
【００１４】
また、本発明に係る携帯電話機の一態様では、前記第１表示面の前記一部には通話の着信履歴が表示され、無線通信を行う無線通信部と、前記無線通信部を制御する通信制御部とを備え、前記操作内容特定部が、前記第１表示面の前記一部に表示されている前記着信履歴を選択する選択操作が前記第２表示面に対して行われたことを特定し、その後、前記位置関係特定部が、前記第１及び第２筐体の位置関係が前記第３の位置関係から前記第１の位置関係になったと特定すると、前記通信制御部は、前記無線通信部を制御して、選択された前記着信履歴に係る通話相手先に発信を行う。
【００１５】
また、本発明に係る携帯電話機の一態様では、前記第１表示面の前記一部には通話の着信履歴が表示され、前記位置関係特定部が、前記第１及び第２筐体の位置関係が前記第３の位置関係から前記第２の位置関係になったと特定すると、前記第１及び第２表示面の少なくとも一方に通話の着信履歴が一覧表示される。
【００１６】
また、本発明に係る携帯電話機の一態様では、前記第１表示面の前記一部には電子メールの受信履歴が表示され、前記操作内容特定部が、前記第１表示面の前記一部に表示されている前記受信履歴を選択する選択操作が前記第２表示面に行われたことを特定し、その後、前記位置関係特定部が、前記第１及び第２筐体の位置関係が前記第３の位置関係から前記第１の位置関係になったと特定すると、選択された受信履歴に係る電子メールの閲覧画面が前記第２表示面に表示される。
【００１７】
また、本発明に係る携帯電話機の一態様では、前記第１表示面の前記一部にはメールの受信履歴が表示され、前記操作内容特定部が、前記第１表示面の前記一部に表示されている前記受信履歴を選択する選択操作が前記第２表示面に行われたことを特定し、その後、前記位置関係特定部が、前記第１及び第２筐体の位置関係が前記第３の位置関係から前記第２の位置関係になったことを特定すると、選択された受信履歴に係る電子メールに対する返信メールの編集画面が前記第１及び第２表示面の少なくとも一方に表示される。
【００１８】
また、本発明に係る携帯電話機の一態様では、前記操作内容特定部が、前記第１表示面の前記一部に表示されている前記受信履歴を選択する選択操作が前記第２表示面に行われたことを特定し、その後、前記位置関係特定部が、前記第１及び第２筐体の位置関係が前記第３の位置関係から前記第２の位置関係になったことを特定すると、選択された受信履歴に係る電子メールに対する返信メールの編集画面が前記第１及び第２表示面の一方に表示され、選択された受信履歴に係る電子メールの閲覧画面が前記第１及び第２表示面の他方に表示される。
【００１９】
また、本発明に係る携帯電話機の一態様では、前記位置関係特定部が、前記第１及び第２筐体の位置関係が前記第３の位置関係になったことを特定した後に前記第２表示面に対して前記選択操作が行われずに、前記位置関係特定部が、前記第１及び第２筐体の位置関係が前記第３の位置関係から前記第２の位置関係になったことを特定すると、前記第１及び第２表示面の少なくとも一方に電子メールの受信履歴が一覧表示される。
【００２０】
また、本発明に係る携帯電話機の一態様では、前記位置関係特定部が、前記第１及び第２筐体の位置関係が前記第３の位置関係になったことを特定した後に前記第２表示面に対して前記選択操作が行われずに、前記位置関係特定部が、前記第１及び第２筐体の位置関係が前記第３の位置関係から前記第１の位置関係になったことを特定すると、前記第１表示面の全領域の表示がオフのままで前記第２表示面の全領域の表示がオフになる。
【００２１】
また、本発明に係る携帯電話機の一態様では、前記携帯電話機の姿勢を検出する姿勢検出部をさらに備え、前記表示制御部は、前記姿勢検出部で検出された前記姿勢に応じて、前記第１表示面の前記一部に表示する情報の種類を変更する。
【００２２】
また、本発明に係る携帯電話機の一態様では、前記表示制御部は、前記第１表示面の前記一部に表示すべき情報が存在しない場合には、当該一部にその旨を表示する。
【００２３】
また、本発明に係る携帯電話機の一態様では、前記表示制御部は、前記第１表示面の前記一部に表示すべき情報が存在しない場合には、前記第１表示面において少なくとも前記一部の表示をオフにする。
【００２４】
また、本発明に係る携帯電話機の一態様では、無線通信を行う無線通信部と、前記無線通信部を制御する通信制御部とを備え、前記表示制御部は、前記第１及び第２筐体の位置関係が前記第３の位置関係である場合に、前記通信制御部が前記無線通信部での通話の着信を検出すると、当該着信を前記第１表示面の前記一部に表示する。
【００２５】
また、本発明に係る携帯電話機の一態様では、前記通信制御部は、通話の着信中に、前記位置関係特定部が前記第１及び第２筐体の位置関係が前記第３の位置関係から前記第１の位置関係になったことを特定すると、前記無線通信部を制御して着信応答を行う。
【発明の効果】
【００２６】
本発明によれば、情報の表示を行いつつ表示面が発する光を抑制し、さらに消費電力を低減することができる。
【図面の簡単な説明】
【００２７】
【図１】本発明の実施の形態に係る携帯電話機の外観を示す斜視図である。
【図２】本発明の実施の形態に係る携帯電話機の外観を示す平面図である。
【図３】本発明の実施の形態に係る携帯電話機の外観を示す平面図である。
【図４】本発明の実施の形態に係る携帯電話機の外観を示す平面図である。
【図５】本発明の実施の形態に係る携帯電話機の電気的な構成を示す図である。
【図６】本発明の実施の形態に係る制御部の機能構成を示す図である。
【図７】本発明の実施の形態に係る携帯電話機の動作を説明するための図である。
【図８】本発明の実施の形態に係る携帯電話機の動作モードの状態遷移を示す図である。
【図９】本発明の実施の形態に係る携帯電話機の表示例を示す平面図である。
【図１０】本発明の実施の形態に係る携帯電話機の表示例を示す平面図である。
【図１１】本発明の実施の形態に係る携帯電話機の表示例を示す平面図である。
【図１２】本発明の実施の形態に係る携帯電話機の表示例を示す平面図である。
【図１３】本発明の実施の形態に係る携帯電話機の表示例を示す平面図である。
【図１４】本発明の実施の形態に係る携帯電話機の表示例を示す平面図である。
【図１５】本発明の実施の形態に係る携帯電話機の表示例を示す平面図である。
【図１６】本発明の実施の形態に係る携帯電話機の表示例を示す平面図である。
【図１７】本発明の実施の形態に係る携帯電話機の表示例を示す平面図である。
【図１８】本発明の実施の形態に係る携帯電話機の表示例を示す平面図である。
【図１９】本発明の実施の形態に係る携帯電話機の表示例を示す平面図である。
【図２０】本発明の実施の形態に係る携帯電話機の表示例を示す平面図である。
【図２１】本発明の実施の形態に係る携帯電話機の表示例を示す平面図である。
【図２２】本発明の実施の形態に係る携帯電話機の表示例を示す平面図である。
【図２３】本発明の実施の形態に係る携帯電話機の表示例を示す平面図である。
【図２４】本発明の実施の形態に係る携帯電話機の表示例を示す平面図である。
【図２５】本発明の実施の形態に係る携帯電話機の表示例を示す平面図である。
【図２６】本発明の実施の形態に係る携帯電話機の表示例を示す平面図である。
【図２７】本発明の実施の形態に係る携帯電話機の表示例を示す平面図である。
【図２８】本発明の実施の形態に係る携帯電話機の表示例を示す平面図である。
【図２９】本発明の実施の形態に係る携帯電話機の表示例を示す平面図である。
【図３０】本発明の実施の形態に係る携帯電話機の表示例を示す平面図である。
【図３１】本発明の実施の形態に係る携帯電話機の変形例の表示例を示す平面図である。
【図３２】本発明の実施の形態に係る携帯電話機の変形例の表示例を示す平面図である。
【図３３】本発明の実施の形態に係る携帯電話機の変形例の表示例を示す平面図である。
【図３４】本発明の実施の形態に係る携帯電話機の変形例の表示例を示す平面図である。
【図３５】本発明の実施の形態に係る携帯電話機の変形例の表示例を示す平面図である。
【図３６】本発明の実施の形態に係る携帯電話機の変形例の表示例を示す平面図である。
【図３７】本発明の実施の形態に係る携帯電話機の変形例の表示例を示す平面図である。
【図３８】本発明の実施の形態に係る携帯電話機の変形例の表示例を示す平面図である。
【図３９】本発明の実施の形態に係る携帯電話機の変形例の表示例を示す平面図である。
【図４０】本発明の実施の形態に係る携帯電話機の変形例の表示例を示す平面図である。
【図４１】本発明の実施の形態に係る携帯電話機の変形例の表示例を示す平面図である。
【図４２】本発明の実施の形態に係る携帯電話機の変形例の表示例を示す平面図である。
【発明を実施するための形態】
【００２８】
図１は本発明の実施の形態に係る携帯電話機１００の外観を示す斜視図である。図１に示されるように、本実施の形態に係る携帯電話機１００は、図示しない連結機構によって互いに連結された上側筐体１と下側筐体２とを備えている。上側筐体１は、平面視で略長方形の板状を成しており、互いに対向する第１主面１ａ及び第２主面１ｂを有している。同様に、下側筐体２は、平面視で略長方形の板状を成しており、互いに対向する第１主面２ａ及び第２主面２ｂを有している。
【００２９】
上側筐体１にはタッチパネル機能を有する上側表示部１１が収められており、下側筐体２にはタッチパネル機能を有する下側表示部１２が収められている。上側表示部１１の長方形の表示面１１ａは、上側筐体１の第１主面１ａから露出しており、下側表示部１２の長方形の表示面１２ａは、下側筐体２の第１主面２ａから露出している。以後、上側表示部１１の表示面１１ａを「上側表示面１１ａ」と呼び、下側表示部１２の表示面１２ａを「下側表示面１２ａ」と呼ぶ。また、以下では、図１に示されるように、上側筐体１及び下側筐体２の短手方向及び長手方向をそれぞれＸ軸方向及びＹ軸方向とし、上側筐体１及び下側筐体２の厚み方向をＺ軸方向とするＸＹＺ直交座標系を用いて携帯電話機１００について説明する。
【００３０】
上側筐体１には音声出力部２０及び音声入力部２１がさらに収められている。音声出力部２０はスピーカを有しており、音声入力部２１はマイクを有している。音声出力部２０のスピーカは、上側筐体１の第１主面１ａにおける＋Ｙ方向の端部から露出しており、音声入力部２１のマイクは、上側筐体１の第１主面１ａにおける−Ｙ方向の端部から露出している。
【００３１】
また、下側筐体２の＋Ｘ方向の側面には、複数のハードキー２３ａから成る操作部２３が設けられている。そして、下側筐体２の−Ｙ方向の側面には、電源コネクタ２２が設けられている。この電源コネクタ２２にＡＣアダプター（図示せず）のプラグが挿入されることによって、当該ＡＣアダプターから直流電源が携帯電話機１００に供給される。
【００３２】
携帯電話機１００では、上側筐体１が、第２主面１ｂを下側筐体２側にして、下側筐体２の下側表示面１２ａ上をＸ軸方向に沿ってスライドすることが可能となっている。これにより、上側筐体１と下側筐体２は、第１〜第３の位置関係をとることが可能となっている。第１の位置関係は、下側表示面１２ａの全領域が上側筐体１で覆われるような上側筐体１と下側筐体２の位置関係である。第２の位置関係は、上側表示面１１ａ及び下側表示面１２ａの全領域が視認可能となるような上側筐体１と下側筐体２の位置関係である。そして、第３の位置関係は、下側表示面１２ａにおいて一部だけが上側筐体１から露出するような上側筐体１と下側筐体２の位置関係である。以後、携帯電話機１００において、上側筐体１と下側筐体２の位置関係が第１の位置関係となっている状態を「クローズ状態」と呼ぶ。また、上側筐体１と下側筐体２の位置関係が第２の位置関係となっている状態を「フルオープン状態」と呼ぶ。そして、上側筐体１と下側筐体２の位置関係が第３の位置関係となっている状態を「部分オープン状態」と呼ぶ。
【００３３】
図２〜４は、携帯電話機１００のクローズ状態、フルオープン状態及び部分オープン状態をそれぞれ示す図である。図２に示されるように、クローズ状態においては、上側筐体１と下側筐体２とは完全に重なっており、上側表示面１１ａだけが視認可能となっている。また図３に示されるように、フルオープン状態においては、上側筐体１が最後までスライドしており、上側表示面１１ａの全領域と下側表示面１２ａの全領域とが視認可能となっている。そして図４に示されるように、部分オープン状態では、上側筐体１が途中までスライドしており、上側筐体１と下側筐体２とが部分的に重なっている。部分オープン状態では、上側表示面１１ａは全領域視認できるものの、下側表示面１２ａは部分的にしか視認できない。図４の例では、下側表示面１２ａにおける、＋Ｘ方向の端縁から１／５程度の領域が視認できるようになっている。以後、部分オープン状態において、下側表示面１２ａのうち、上側筐体１から露出している部分を「露出部分１２ａａ」と呼ぶ。
【００３４】
クローズ状態の携帯電話機１００の下側筐体２を手に持ったユーザが、上側筐体１に指を当てて、上側筐体１を比較的強い力で−Ｘ方向にスライドさせると、携帯電話機１００はフルオープン状態となり、上側筐体１を比較的弱い力で−Ｘ方向にスライドさせると、携帯電話機１００は部分オープン状態となる。また、フルオープン状態の携帯電話機１００の下側筐体２を手に持ったユーザが、上側筐体１に指を当てて、上側筐体１を比較的強い力で＋Ｘ方向にスライドさせると、携帯電話機１００はクローズ状態となり、上側筐体１を比較的弱い力で＋Ｘ方向にスライドさせると、携帯電話機１００は部分オープン状態となる。そして、部分オープン状態の携帯電話機１００の下側筐体２を手に持ったユーザが、上側筐体１に指を当てて、上側筐体１を＋Ｘ方向にスライドさせると、携帯電話機１００はクローズ状態となり、上側筐体１を−Ｘ方向にスライドさせると、携帯電話機１００はフルオープン状態となる。
【００３５】
＜携帯電話機の電気的構成＞
図５は本実施の形態に係る携帯電話機１００の電気的な構成を示すブロック図である。図５に示されるように、携帯電話機１００は、制御部３０と、無線通信部３１と、姿勢検出部３２と、上述の上側表示部１１、下側表示部１２、音声出力部２０、音声入力部２１及び操作部２３とを備えている。制御部３０、無線通信部３１及び姿勢検出部３２は、例えば下側筐体２内に収められている。
【００３６】
制御部３０は、ＣＰＵ３０ａ及び記憶部３０ｂ等を備えており、携帯電話機１００の他の構成要素を制御することによって、携帯電話機１００の動作を統括的に管理する。記憶部３０ｂは、ＲＯＭ及びＲＡＭ等で構成されている。制御部３０の各種機能は、ＣＰＵ３０ａが記憶部３０ｂ内の各種プログラムを実行することによって実現される。
【００３７】
無線通信部３１は、携帯電話機１００とは別の携帯電話機や、インターネットに接続されたＷｅｂサーバ等の通信装置からの無線信号をアンテナ３１ａで受信し、受信信号に対して増幅処理やダウンコンバートを行って制御部３０に出力する。また無線通信部３１は、制御部３０で生成された送信信号に対してアップコンバートや増幅処理を行って、処理後の送信信号をアンテナ３１ａを通じて、携帯電話機１００とは別の携帯電話機や、インターネットに接続された通信装置に対して無線送信する。
【００３８】
姿勢検出部３２は、加速度センサ等で構成されており、携帯電話機１００の姿勢を検出する。例えば、姿勢検出部３２は、上側筐体１及び下側筐体２の長手方向が鉛直方向（重力方向）になっているのか、鉛直方向に対して垂直方向になっているのかを検出する。
【００３９】
音声出力部２０は、制御部３０からの音声データを音声に変換して外部に出力する。音声入力部２１は、外部から入力される音声を音声データに変換して制御部３０に出力する。
【００４０】
上側表示部１１は、制御部３０によって制御されることによって、文字、記号、図形などの各種情報を上側表示面１１ａに表示する。また、タッチパネル機能を有する上側表示部１１は、上側表示面１１ａに対するユーザの指の操作を検出して制御部３０に出力する。
【００４１】
下側表示部１２は、上側表示部１１と同様に、制御部３０によって制御されることによって、文字、記号、図形などの各種情報を下側表示面１２ａに表示する。また、タッチパネル機能を有する下側表示部１２は、下側表示面１２ａに対するユーザの指の操作を検出して制御部３０に出力する。
【００４２】
上側表示部１１及び下側表示部１２は、例えば、透過型の液晶ディスプレイパネルと当該液晶ディスプレイパネルに対して後方から光を照射するバックライト光源とを備えている。なお、上側表示部１１及び下側表示部１２を、液晶ディスプレイパネル以外の非自発光型ディスプレイで構成しても良いし、有機ＥＬパネルなどの自発光型ディスプレイパネルで構成しても良い。
【００４３】
操作部２３は、上述のように複数のハードキー（押下式スイッチ）２３ａを有しており、各ハードキー２３ａに対するユーザの押下操作を検出して制御部３０に出力する。
【００４４】
本実施の形態では、ユーザは、上側表示面１１ａ、下側表示面１２ａ及び操作部２３に対して操作を行うことによって、様々な情報を携帯電話機１００に入力することが可能となっている。
【００４５】
図６は、制御部３０のＣＰＵ３０ａが、記憶部３０ｂ内の各種プログラムを実行することによって、制御部３０内に形成される複数の機能ブロックを示す図である。図６に示されるように、制御部３０内には、機能ブロックとして、表示制御部１３０、操作内容特定部１３１、通信制御部１３２及び位置関係特定部１３３が形成される。
【００４６】
表示制御部１３０は、上側表示部１１及び下側表示部１２の表示を制御する。表示制御部１３０は、上側表示面１１ａ及び下側表示面１２ａに文字等の情報を表示したり、上側表示面１１ａ及び下側表示面１２ａのそれぞれの全領域の表示を個別にオフにすることができる。
【００４７】
ここで、表示面の全領域の表示がオフであるということは、当該全領域において外部から視認できるような情報の表示ができないことを意味する。また、表示面の全領域の表示がオンであるということは、当該全領域において外部から視認できるような情報の表示ができることを意味している。したがって、表示制御部１３０が、例えば、上側表示面１１ａの全領域の表示をオンにしている場合には、表示制御部１３０は、当該全領域に対して外部から視認できるような情報の表示をすることができる。一方で、表示制御部１３０が、例えば、上側表示面１１ａの全領域の表示をオフにしている場合には、表示制御部１３０は、当該全領域に対して外部から視認できるような情報の表示をすることができない。
【００４８】
本実施の形態では、上側表示部１１は、液晶表示パネルとバックライト光源とを備えているため、表示制御部１３０は、上側表示面１１ａの全領域の表示をオンにする際にはバックライト光源を発光させ、上側表示面１１ａの全領域の表示をオフにする際にはバックライト光源を発光させない。同様に、下側表示部１２は、液晶表示パネルとバックライト光源とを備えているため、表示制御部１３０は、下側表示面１２ａの全領域の表示をオンにする際にはバックライト光源を発光させ、下側表示面１２ａの全領域の表示をオフにする際にはバックライト光源を発光させない。なお、上側表示部１１及び下側表示部１２が自発光型ディスプレイパネルを有する場合には、当該パネルに供給する電力を停止して、上側表示面１１ａ及び下側表示面１２ａの全領域の表示をオフにすることになる。
【００４９】
また、表示制御部１３０は、姿勢検出部３２での検出結果に応じて上側表示面１１ａ及び下側表示面１２ａに表示する文字等の向きを変更することにより、携帯電話機１００の姿勢に応じて文字等が正しい向きで上側表示面１１ａ及び下側表示面１２ａに表示されるようにしている。
【００５０】
操作内容特定部１３１は、上側表示部１１及び下側表示部１２が検出した操作の内容を特定する。例えば、上側表示面１１ａに対して行われた操作が、所定の文字を入力する操作であることを特定したり、所定の設定を行う操作であることを特定する。また、操作内容特定部１３１は、操作部２３が検出した、複数のハードキー２３ａに対する操作の内容を特定する。さらに、操作内容特定部１３１は、上側表示部１１及び下側表示部１２が検出する操作を無視することもできる。これにより、ユーザの上側表示面１１ａ及び下側表示面１２ａに対する操作が無効となり、当該操作に対応する本来の動作は携帯電話機１００では行われない。
【００５１】
通信制御部１３２は、無線通信部３１を制御して、通信相手先と様々な通信を行う。例えば、通信制御部１３２は、他の携帯電話機と、音声通信や電子メール通信を行う。また、通信制御部１３２はＷｅｂサーバとデータ通信を行う。音声通信を行う際には、通信制御部１３２は、音声入力部２１から入力される音声データを含む送信信号を生成し、当該送信信号を無線通信部３１を通じて他の携帯電話機に対して送信する。また、通信制御部１３２は、無線通信部３１が受信した信号から音声データを取得して、当該音声データを音声出力部２０に出力する。
【００５２】
位置関係特定部１３３は、上側筐体１と下側筐体２の位置関係を特定する。具体的には、位置関係特定部１３３は、上側筐体１と下側筐体２が、上述の第１〜第３の位置関係のいずれにあるのかを特定する。これにより、位置関係特定部１３３において、携帯電話機１００がクローズ状態、フルオープン状態及び部分オープン状態のいずれにあるかが特定される。
【００５３】
次に、クローズ状態、フルオープン状態及び部分オープン状態での携帯電話機１００の動作モードについて説明する。
【００５４】
＜クローズ状態＞
図２に示されるクローズ状態の携帯電話機１００の動作モードとしては、アクティブモードとスリープモードとがある。クローズ状態の携帯電話機１００のアクティブモード及びスリープモードを、それぞれ「ＣＬ−アクティブモード」及び「ＣＬ−スリープモード」と呼ぶ。ＣＬ−アクティブモードでは、上側表示面１１ａの表示はオンであって、下側表示面１２ａの表示はオフである。また、ＣＬ−アクティブモードでは、上側表示面１１ａに対する操作は有効であって、下側表示面１２ａに対する操作は無効となる。
【００５５】
このように、ＣＬ−アクティブモードでは、上側表示面１１ａだけの表示がオンであって、上側表示面１１ａだけに対する操作が有効であるため、上側表示部１１及び下側表示部１２のうちユーザは上側表示部１１だけを利用して、通話、電子メール等の通信や、携帯電話機１００に対する各種設定等を行うことができる。
【００５６】
これに対して、ＣＬ−スリープモードでは、上側表示面１１ａ及び下側表示面１２ａの表示がともにオフであって、上側表示面１１ａ及び下側表示面１２ａに対する操作はともに無効となる。
【００５７】
なお、クローズ状態においては、下側表示面１２ａは視認できないことから、実際には下側表示面１２ａに対して操作が行われることはないが、ここでの下側表示面１２ａに対する操作が無効になるとは、仮に下側表示面１２ａに対して操作が行われたとしても、操作内容特定部１３１はその操作を無視するという意味である。
【００５８】
クローズ状態の携帯電話機１００においては、ＣＬ−アクティブモードにおいて、上側表示面１１ａ及び操作部２３に対する操作がともに一定時間無い場合にはＣＬ−スリープモードに遷移する。そして、ＣＬ−スリープモードにおいて、操作部２３に対する操作が行われると、ＣＬ−アクティブモードに遷移する。
【００５９】
＜フルオープン状態＞
図３に示されるフルオープン状態の携帯電話機１００の動作モードとしては、アクティブモードだけが存在する。フルオープン状態の携帯電話機１００のアクティブモードを「ＦＯ−アクティブモード」と呼ぶ。ＦＯ−アクティブモードでは、上側表示面１１ａ及び下側表示面１２ａの表示はともにオンであって、上側表示面１１ａ及び下側表示面１２ａに対する操作はともに有効である。
【００６０】
このように、ＦＯ−アクティブモードでは、上側表示面１１ａ及び下側表示面１２ａともに表示がオンであって、上側表示面１１ａ及び下側表示面１２ａに対する操作がともに有効であるため、ユーザは上側表示部１１及び下側表示部１２の両方を利用して、通話や電子メール等の通信や、携帯電話機１００に対する各種設定などを行うことができる。
【００６１】
＜部分オープ状態＞
図４に示される部分オープン状態の携帯電話機１００の動作モードとしては、第１〜第３アクティブモードがある。部分オープン状態の携帯電話機１００の第１〜第３アクティブモードを、それぞれ「ＰＯ−第１アクティブモード」、「ＰＯ−第２アクティブモード」及び「ＰＯ−第３アクティブモード」と呼ぶ。
【００６２】
ＰＯ−第１アクティブモードでは、上側表示面１１ａの表示はオフであって、下側表示面１２ａの表示はオンである。また、ＰＯ−第１アクティブモードでは、上側表示面１１ａに対する操作は有効であって、下側表示面１２ａに対する操作は無効となる。
【００６３】
ＰＯ−第２アクティブモードでの携帯電話機１００における上側表示面１１ａ及び下側表示面１２ａに関する設定は、上述のＣＬ−アクティブモードと同じであり、ＰＯ−第３アクティブモードでの携帯電話機１００における上側表示面１１ａ及び下側表示面１２ａに関する設定は、上述のＦＯ−アクティブモードと同じである。
【００６４】
以上の各動作モードでの携帯電話機１００における上側表示面１１ａ及び下側表示面１２ａに関する設定をまとめると図７のようになる。
【００６５】
なお、ＣＬ−スリープモードにおいて、上側表示面１１ａに対する操作を有効にしても良い。この場合には、ＣＬ−スリープモードにおいて、操作部２３に対する操作が行われるとＣＬ−アクティブモードに遷移するとともに、上側表示面１１ａに対する操作が行われるとＣＬ−アクティブモードに遷移する。
【００６６】
また、部分オープン状態の携帯電話機１００においては、下側表示面１２ａの露出部分１２ａａ以外の部分は視認できることができないことから、当該部分の表示をオンにする必要は必ずしもない。したがって、下側表示部１２に対して複数のバックライト光源を設けるなどして、下側表示面１２ａにおいて、露出部分１２ａａだけの表示をオンにできる場合には、ＰＯ−第１アクティブモードでは、露出部分１２ａａだけの表示をオンにしても良い。つまり、下側表示面１２ａのうち、露出部分１２ａａについては外部から視認できるような情報の表示ができるようにし、その他の部分については外部から視認できるような情報の表示ができないようにしても良い。
【００６７】
次に、上側筐体１と下側筐体２の位置関係が変化した際に、つまり上側筐体１のスライド状態が変化した際に、携帯電話機１００の動作モードがどのように変化するかについて説明する。図８は携帯電話機１００での動作モードの状態遷移を示す図である。
【００６８】
＜クローズ状態→フルオープン状態＞
フルオープン状態の携帯電話機１００の動作モードはＦＯ−アクティブモードしか存在しない。したがって、携帯電話機１００がクローズ状態からフルオープン状態に変化する際には、携帯電話機１００の動作モードがＣＬ−アクティブモード及びＣＬ−スリープモードのどちらであっても、携帯電話機１００の動作モードはＦＯ−アクティブモードになる。
【００６９】
＜クローズ状態→部分オープン状態＞
クローズ状態の携帯電話機１００の動作モードがＣＬ−アクティブモードであって、当該携帯電話機１００が部分オープン状態に変化すると、当該携帯電話機１００の動作モードはＰＯ−第２アクティブモードとなる。つまり、この場合には、携帯電話機１００における上側表示面１１ａ及び下側表示面１２ａに関する設定は変化せず、上側筐体１のスライド状態が変化するだけであって、携帯電話機１００内部での動作は変化しない。
【００７０】
これに対して、クローズ状態の携帯電話機１００の動作モードがＣＬ−スリープモードであって、当該携帯電話機１００が部分オープン状態に変化すると、当該携帯電話機１００の動作モードはＰＯ−第１アクティブモードとなる。その結果、上側表示面１１ａの表示はオフのままで変化せず、下側表示面１２ａの全領域の表示がオフからオンに変化し、下側表示面１２ａの露出部分１２ａａに情報を表示することが可能となる。さらに、上側表示面１１ａに対する操作が無効から有効に変化する。なお、露出部分１２ａａに表示される情報について後で詳細に説明する。
【００７１】
＜フルオープン状態→クローズ状態＞
携帯電話機１００がフルオープン状態からクローズ状態に変化すると、その動作モードは、ＦＯ−アクティブモードからＣＬ−アクティブモードに変化する。
【００７２】
＜フルオープン状態→部分クローズ状態＞
携帯電話機１００がフルオープン状態から部分クローズ状態に変化すると、その動作モードは、ＦＯ−アクティブモードからＰＯ−第３アクティブモードに変化する。つまり、この場合には、携帯電話機１００における上側表示面１１ａ及び下側表示面１２ａに関する設定は変化せず、上側筐体１のスライド状態が変化するだけであって、携帯電話機１００内部での動作は変化しない。
【００７３】
＜部分オープン状態→クローズ状態＞
部分オープン状態の携帯電話機１００の動作モードがＰＯ−第１アクティブモードであって、当該携帯電話機１００がクローズ状態に変化すると、当該携帯電話機１００の動作モードは、ＣＬ−アクティブモードあるいはＣＬ−スリープモードに変化する。
【００７４】
上述のように、携帯電話機１００の動作モードがＰＯ−第１アクティブモードである場合には、下側表示面１２ａの露出部分１２ａａに情報が表示される。詳細については後述するが、携帯電話機１００では、露出部分１２ａａに、通話の着信履歴（以後、単に「着信履歴」と呼ぶ）と電子メールの受信履歴（以後、単に「メール受信履歴」と呼ぶ）を表示することが可能となっている。ＰＯ−第１アクティブモードで動作する携帯電話機１００において、露出部分１２ａａに表示されている着信履歴あるいはメール受信履歴が選択された状態で、携帯電話機１００がクローズ状態に変化すると、携帯電話機１００の動作モードは、ＣＬ−アクティブモードに変化する。
【００７５】
一方で、ＰＯ−第１アクティブモードで動作する携帯電話機１００において、露出部分１２ａａに表示されている着信履歴あるいはメール受信履歴が選択されていない状態で、携帯電話機１００がクローズ状態に変化すると、携帯電話機１００の動作モードは、ＣＬ−スリープモードに変化する。
【００７６】
部分オープン状態の携帯電話機１００の動作モードがＰＯ−第２アクティブモードであって、当該携帯電話機１００がクローズ状態に変化すると、当該携帯電話機１００の動作モードはＣＬ−アクティブモードとなる。つまり、この場合には、携帯電話機１００における上側表示面１１ａ及び下側表示面１２ａに関する設定は変化せず、上側筐体１のスライド状態が変化するだけであって、携帯電話機１００内部での動作は変化しない。
【００７７】
部分オープン状態の携帯電話機１００の動作モードがＰＯ−第３アクティブモードであって、当該携帯電話機１００がクローズ状態に変化すると、当該携帯電話機１００の動作モードはＣＬ−アクティブモードに変化する。
【００７８】
＜部分オープン状態→フルオープン状態＞
フルオープン状態の携帯電話機１００の動作モードはＦＯ−アクティブモードしか存在しない。したがって、携帯電話機１００が部分オープン状態からフルオープン状態に変化する際には、携帯電話機１００の動作モードがＰＯ−第１アクティブモード、ＰＯ−第２アクティブモード及びＰＯ−第３アクティブモードのいずれであっても、携帯電話機１００の動作モードはＦＯ−アクティブモードになる。
【００７９】
なお、ＰＯ−第３アクティブモードの携帯電話機１００における上側表示面１１ａ及び下側表示面１２ａに関する設定は、ＦＯ−アクティブモードの携帯電話機１００と同じであるため、携帯電話機１００の動作モードがＰＯ−第３アクティブモードからＦＯ−アクティブモードに変化したとしても、携帯電話機１００における上側表示面１１ａ及び下側表示面１２ａに関する設定は変化せず、上側筐体１のスライド状態が変化するだけであって、携帯電話機１００内部での動作は変化しない。
【００８０】
＜ＰＯ−第１アクティブモードの携帯電話機の動作説明＞
次に、動作モードがＰＯ−第１アクティブモードとなっている携帯電話機１００の動作について詳細に説明する。本実施の形態に係るＰＯ−第１アクティブモードの携帯電話機１００では、下側表示面１２ａの露出部分１２ａａに着信履歴及びメール受信履歴を表示することが可能になっている。ＰＯ−第１アクティブモードの携帯電話機１００では、ユーザ設定に応じて、着信履歴だけの表示、メール受信履歴だけの表示、及び着信履歴とメール受信履歴の両方の表示のいずれか一つを行うようになっている。さらに、ＰＯ−第１アクティブモードの携帯電話機１００では、ユーザ設定により、露出部分１２ａａに表示する着信履歴及びメール受信履歴を制限することができる。例えば、後述するアドレス帳ファイルに登録されている、ある特定のグループに属する相手先からの着信に係る着信履歴だけを露出部分１２ａａに表示することができる。なお、露出部分１２ａａの表示に関するユーザ設定については後で詳細に説明する。
【００８１】
本実施の形態に係る携帯電話機１００では、通信制御部１３２が、無線通信部３１での通話の着信を検出する。そして、通信制御部１３２は、検出した通話の着信に基づいて着信履歴を生成して記憶部３０ｂに記憶する。記憶部３０ｂには、最新の数十件分の着信履歴が記憶される。
【００８２】
また、通信制御部１３２は、無線通信部３１で受信された電子メールに基づいてメール受信履歴を生成する。そして、通信制御部１３２は、生成したメール受信履歴を記憶部３０ｂに記憶する。記憶部３０ｂには、最新の数十件分のメール受信履歴が記憶される。
【００８３】
＜着信履歴だけの表示＞
次に露出部分１２ａａに着信履歴だけが表示される際の携帯電話機１００の動作について説明する。図９はこのような携帯電話機１００において、下側表示面１２ａの露出部分１２ａａに着信履歴が表示されている様子を示す図である。なお、図９及び以降の図では、ＰＯ−第１アクティブモードの携帯電話機１００における上側表示面１１ａの全領域の表示がオフになっている様子を示すために上側表示面１１ａに斜線を示している。
【００８４】
図９に示されるように、露出部分１２ａａには、例えば１件分の着信履歴２００が表示される。着信履歴２００には、記憶部３０ｂ内における表示対象の複数件分の着信履歴２００に対して新しいもの順に付与される通し番号２００ａと、着信相手先を特定するための相手先情報２００ｂと、着信時刻（日付も含む）２００ｃと、携帯電話機１００が着信に対して応答したか否かを示すステータスアイコン２００ｄとが含まれている。図９に示されるステータスアイコン２００ｄは、着信に対して応答しなかったこと、つまり着信が不在着信であることを示している。
【００８５】
また、携帯電話機１００では、操作内容特定部１３１が上側表示面１１ａに対して所定の操作が行われたことを特定すると、露出部分１２ａａに表示される情報が切り替えられる。本実施の形態では、操作内容特定部１３１が上側表示面１１ａに対して所定の操作が行われたことを特定すると、下側表示面１２ａの露出部分１２ａａの表示がスクロールし、他の１件分の着信履歴２００が露出部分１２ａａに表示される。本実施の形態では、図１０に示されるように、携帯電話機１００が使用される姿勢において（図１０の例では横向き姿勢）、ユーザが指を上側表示面１１ａに接触させた状態で上側（−Ｘ方向）に移動させると、操作内容特定部１３１がその操作内容を特定し、露出部分１２ａａの表示が上側にスクロールする。露出部分１２ａａの表示は、ユーザの指の上側への移動量に応じて上側にスクロールする。図１１は、露出部分１２ａａの表示が上側にスクロールすることによって、次の１件分の着信履歴２００が露出部分１２ａａに表示されている様子を示している。また図１２は、露出部分１２ａａの表示がさらに上側にスクロールすることによって、さらに次の１件分の着信履歴２００が露出部分１２ａａに表示されている様子を示している。図１０〜１２に示されるように、ユーザは、指を上側表示面１１ａに接触した状態で上側に移動させることによって、現在表示されている着信履歴２００よりも古い着信履歴２００を着信時刻２００ｃの新しいもの順に露出部分１２ａａに表示させることができる。
【００８６】
これに対して、図１３に示されるように、ユーザが指を上側表示面１１ａに接触させた状態で下側（＋Ｘ方向）に移動させると、操作内容特定部１３１がその操作内容を特定し、下側表示面１２ａの露出部分１２ａａの表示が下側にスクロールする。露出部分１２ａａの表示は、下側へのユーザの指の移動量に応じて下側にスクロールする。これにより、ユーザは、指を上側表示面１１ａに接触した状態で下側に移動させることによって、現在表示されている着信履歴２００よりも新しい着信履歴２００を、着信時刻２００ｃの古いもの順に露出部分１２ａａに表示させることができる。
【００８７】
＜メール受信履歴だけの表示＞
次に露出部分１２ａａにメール受信履歴だけが表示される際の携帯電話機１００の動作について説明する。図１４はこのような携帯電話機１００において露出部分１２ａａにメール受信履歴が表示されている様子を示す図である。図１４に示されるように、露出部分１２ａａには、例えば１件分のメール受信履歴３００が表示される。メール受信履歴３００には、記憶部３０ｂ内における表示対象の複数件分のメール受信履歴３００に対して新しいもの順に付与された通し番号３００ａと、受信相手先を特定するための相手先情報３００ｂと、受信時刻（日付も含む）３００ｃと、電子メールが開封されているか否かを示すステータスアイコン３００ｄとが含まれている。図１４に示されるステータスアイコン３００ｄは、電子メールが開封されていないことを示している。なお、電子メールが開封されているとは、携帯電話機１００において電子メールの本文が一度でも表示されたことを意味する。
【００８８】
また、露出部分１２ａａにメール受信履歴３００が表示される場合においても、携帯電話機１００が使用される姿勢において、ユーザが指を上側表示面１１ａに接触させた状態で上側に移動させると、操作内容特定部１３１がその操作内容を特定し、下側表示面１２ａの露出部分１２ａａの表示が上側にスクロールする。これにより、露出部分１２ａａには他の１件分のメール受信履歴３００が表示される。露出部分１２ａａの表示は、ユーザの指の上側への移動量に応じて上側にスクロールする。
【００８９】
図１５は、露出部分１２ａａの表示が上側にスクロールすることによって、次の１件分のメール受信履歴３００が露出部分１２ａａに表示されている様子を示している。また図１６は、露出部分１２ａａの表示がさらに上側にスクロールすることによって、さらに次の１件分のメール受信履歴３００が露出部分１２ａａに表示されている様子を示している。図１４〜１６に示されるように、ユーザは、指を上側表示面１１ａに接触した状態で上側に移動させることによって、現在表示されているメール受信履歴３００よりも古いメール受信履歴３００を受信時刻３００ｃの新しいもの順に露出部分１２ａａに表示させることができる。
【００９０】
これに対して、ユーザが指を上側表示面１１ａに接触させた状態で下側に移動させると、操作内容特定部１３１がその操作内容を特定し、下側表示面１２ａの露出部分１２ａａの表示が下側にスクロールする。露出部分１２ａａの表示は、下側へのユーザの指の移動量に応じて下側にスクロールする。これにより、ユーザは、指を上側表示面１１ａに接触した状態で下側に移動させることによって、現在表示されているメール受信履歴３００よりも新しいメール受信履歴３００を、受信時刻３００ｃの古いもの順に露出部分１２ａａに表示させることができる。
【００９１】
なお、図１５，１６に示されるステータスアイコン３００ｄは、受信メールがすでに開封されていることを示している。
【００９２】
＜着信履歴及びメール受信履歴の両方の表示＞
次に露出部分１２ａａに着信履歴及びメール受信履歴の両方が表示される際の携帯電話機１００の動作について説明する。このような携帯電話機１００においては、ユーザが、指を上側表示面１１ａに接触した状態で上側に移動させると、記憶部３０ｂ内の表示対象の複数件分の着信履歴２００及び複数件分のメール受信履歴３００において、現在表示されている履歴よりも古い履歴が、新しいものから順に１件分だけ露出部分１２ａａに表示される。また、ユーザが、指を上側表示面１１ａに接触した状態で下側に移動させると、記憶部３０ｂ内の表示対象の複数件分の着信履歴２００及び複数件分のメール受信履歴３００において、現在表示されている履歴よりも新しい履歴が、古いものから順に１件分だけ露出部分１２ａａに表示される。
【００９３】
図１７は記憶部３０ｂ内の表示対象の複数件分の着信履歴２００及び複数件分のメール受信履歴３００のうち最も新しい履歴が表示されており、図１８は２番目に新しい履歴が表示されており、図１９は３番目に新しい履歴が表示されている。露出部分１２ａａに着信履歴２００及びメール受信履歴３００の両方が表示される際には、着信履歴２００の通し番号２００ａ及びメール受信履歴３００の通し番号３００ａのそれぞれは、記憶部３０ｂ内の表示対象の着信履歴２００及びメール受信履歴３００に対して新しいものから順に付与された通し番号となる。
【００９４】
図１７の携帯電話機１００に対して、ユーザが指を上側表示面１１ａに接触した状態で上側に移動させると、携帯電話機１００は図１８の状態及び図１９の状態を順にとるようになる。また、図１９の携帯電話機１００に対して、ユーザが指を上側表示面１１ａに接触した状態で下側に移動させると、携帯電話機１００は図１８の状態及び図１７の状態を順にとるようになる。
【００９５】
＜露出部分に表示されている情報の選択＞
ＰＯ−第１アクティブモードの携帯電話機１００においては、操作内容特定部１３１が上側表示面１１ａに対して所定の操作が行われたことを特定すると、露出部分１２ａａに表示されている情報が選択された状態となる。本実施の形態では、図２０に示されるように、携帯電話機１００が使用される姿勢において、ユーザが指を上側表示面１１ａに接触させた状態で左側（−Ｙ方向）に移動させると、操作内容特定部１３１がその操作内容を特定し、露出部分１２ａａに表示されている情報（図２０の例では着信履歴）が選択された状態となる。露出部分１２ａａに表示されている情報が選択された状態となると、図２１に示されるように、当該情報が選択されていることを示す選択済みマーク４００が当該情報と並べられて露出部分１２ａａに表示される。
【００９６】
また、露出部分１２ａａに表示されている情報が選択された状態において、携帯電話機１００が使用される姿勢でユーザが指を上側表示面１１ａに接触させた状態で右側（＋Ｙ方向）に移動させると、操作内容特定部１３１がその操作内容を特定し、露出部分１２ａａに表示されている情報の選択が解除される。つまり、当該情報が選択されていない状態となる。露出部分１２ａａに表示されている情報の選択が解除されると、露出部分１２ａａから選択済みマーク４００が消去されて、露出部分１２ａａの表示は図２０の状態に戻る。なお、図２３は、露出部分１２ａａに表示されているメール受信履歴３００が選択されて、露出部分１２ａａに選択済みマーク４００が表示されている様子を示している。
【００９７】
＜ＰＯ−第１アクティブモードから変化する際の携帯電話機の動作＞
本実施の形態では、ＰＯ−第１アクティブモードの携帯電話機１００において、露出部分１２ａａに表示されている着信履歴２００が選択された状態で、ユーザが当該携帯電話機１００の上側筐体１をスライドさせて、当該携帯電話機１００がクローズ状態に変化すると、当該携帯電話機１００は、ＣＬ−アクティブモードとなって、選択されている着信履歴２００に係る通話相手先に発信を行うようになっている。具体的には、ＰＯ−第１アクティブモードの携帯電話機１００において、露出部分１２ａａに表示されている着信履歴２００が選択された状態で、位置関係特定部１３３が、上側筐体１及び下側筐体２の位置関係が第３の位置関係から第１の位置関係になったと特定すると、通信制御部１３２は、無線通信部３１を制御して、選択されている着信履歴に係る通話相手先に発信を行う。これにより、ユーザは、上側筐体１をスライドさせるだけで、選択した着信履歴２００に係る通話相手先に発信を行うことができる。
【００９８】
図２４は、通信制御部１３２が発信を行っている最中に上側表示面１１ａに表示される情報の一例を示す図である。図２４に示されるように、上側表示面１１ａには、発信中であることを示す情報５００ａと、通話相手先を特定するための相手先情報５００ｂと、通話相手先の電話番号５００ｃとが表示される。
【００９９】
また、本実施の形態では、ＰＯ−第１アクティブモードの携帯電話機１００において、露出部分１２ａａに表示されているメール受信履歴３００が選択された状態で、ユーザが当該携帯電話機１００の上側筐体１をスライドさせて、当該携帯電話機１００がクローズ状態に変化すると、当該携帯電話機１００は、ＣＬ−アクティブモードとなって、選択されているメール受信履歴３００に係る電子メールの閲覧画面が表示されるようになっている。具体的には、ＰＯ−第１アクティブモードの携帯電話機１００において、露出部分１２ａａに表示されているメール受信履歴３００が選択された状態で、位置関係特定部１３３が、上側筐体１及び下側筐体２の位置関係が第３の位置関係から第１の位置関係になったと特定すると、表示制御部１３０の制御により、選択されているメール受信履歴３００に係る電子メールの閲覧画面が上側表示面１１ａに表示される。これにより、ユーザは、上側筐体１をスライドさせるだけで、選択したメール受信履歴３００に係る電子メールの内容を確認することができる。
【０１００】
図２５は、上側表示面１１ａに表示される電子メールの閲覧画面５０１の一例を示す図である。図２５に示されるように、電子メールの閲覧画面５０１においては、当該電子メールの送信者を示す送信者情報５０１ａと、当該電子メールの送付先を示す送付先情報５０１ｂと、当該電子メールのタイトル５０１ｃとが示される。また、電子メールの閲覧画面５０１には、当該電子メールの受信時刻（日付を含む）５０１ｄと、当該電子メールの本文５０１ｅとが示される。さらに、電子メールの閲覧画面５０１には、当該電子メールに対する返信メールの編集画面を表示させるための返信ボタン５０１ｆと、閲覧画面５０１の表示を終了するためのクローズボタン５０１ｇとが示される。返信ボタン５０１ｆがユーザによって操作されると、上側表示面１１ａには後述の返信メールの編集画面が表示される。
【０１０１】
一方で、ＰＯ−第１アクティブモードの携帯電話機１００において、露出部分１２ａａに表示されているメール受信履歴３００が選択された状態で、ユーザが当該携帯電話機１００の上側筐体１をスライドさせて、当該携帯電話機１００がフルオープン状態に変化すると、当該携帯電話機１００は、ＦＯ−アクティブモードとなって、選択されているメール受信履歴３００に係る電子メールに対する返信メールの編集画面が表示されるようになっている。具体的には、ＰＯ−第１アクティブモードの携帯電話機１００において、露出部分１２ａａに表示されているメール受信履歴３００が選択された状態で、位置関係特定部１３３が、上側筐体１及び下側筐体２の位置関係が第３の位置関係から第２の位置関係になったと特定すると、表示制御部１３０の制御により、選択されているメール受信履歴３００に係る電子メールに対する返信メールの編集画面が下側表示面１２ａに表示される。さらに、本実施の形態では、ＰＯ−第１アクティブモードの携帯電話機１００において、露出部分１２ａａに表示されているメール受信履歴３００が選択された状態で、位置関係特定部１３３が、上側筐体１及び下側筐体２の位置関係が第３の位置関係から第２の位置関係になったと特定すると、表示制御部１３０の制御により、選択されているメール受信履歴３００に係る電子メールの閲覧画面５０１が上側表示面１１ａに表示される。これにより、ユーザは、上側筐体１をスライドさせるだけで、選択したメール受信履歴３００に係る電子メールの内容を確認しながら、当該電子メールに対する返信メールの編集を行うことができる。
【０１０２】
図２６は、携帯電話機１００に表示される電子メールの閲覧画面５０１及び返信メールの編集画面５０２の一例を示す図である。図２６に示されるように、下側表示面１２ａに表示される返信メールの編集画面５０２には、当該返信メールの送付先を示す送付先情報５０２ａと、返信メールのタイトル５０２ｂとが示される。また、返信メールの編集画面５０２には、当該返信メールの本文を表示するための部分画面５０２ｃが示されている。さらに、返信メールの編集画面５０２には、作成した返信メールを送信するための送信ボタン５０２ｄと、編集画面５０２の表示を終了するためのキャンセルボタン５０２ｅとが示されている。
【０１０３】
このような返信メールの編集画面５０２において、操作ボタンとしても機能する部分画面５０２ｃがユーザによって操作されると、下側表示面１２ａには本文作成画面が表示される。ユーザはこの本文作成画面を操作することによって返信メールの本文を作成することができる。そして、ユーザが、下側表示面１２ａに対して、返信メールの本文作成が完了したことを携帯電話機１００に通知するための操作を行うと、下側表示面１２ａには再び編集画面５０２が表示される。この編集画面５０２の部分画面５０２ｃには、作成された本文が表示される。その後、ユーザが送信ボタン５０２ｄを操作すると、通信制御部３０は、無線通信部３１を制御して、作成された返信メールを送信する。
【０１０４】
なお、上記の例では、上側表示面１１ａに電子メールの閲覧画面５０１を表示し、下側表示面１２ａに返信メールの編集画面５０２を表示したが、閲覧画面５０１は表示しなくても良い。また、返信メールの編集画面５０２を上側表示面１１ａ及び下側表示面１２ａにわたって表示しても良い。また、返信メールの編集画面５０２を上側表示面１１ａだけに表示しても良い。この場合には、下側表示面１２ａに電子メールの閲覧画面５０１を表示することが望ましい。
【０１０５】
また、本実施の形態では、ＰＯ−第１アクティブモードの携帯電話機１００において、露出部分１２ａａに表示されている着信履歴２００などの履歴が選択されていない状態で、ユーザが当該携帯電話機１００の上側筐体１をスライドさせて、当該携帯電話機１００がフルオープン状態に変化すると、当該携帯電話機１００は、ＦＯ−アクティブモードとなって、着信履歴２００などの履歴が一覧表示されるようになっている。具体的には、ＰＯ−第１アクティブモードの携帯電話機１００において、露出部分１２ａａに表示されているメール受信履歴３００などが選択されていない状態で、位置関係特定部１３３が、上側筐体１及び下側筐体２の位置関係が第３の位置関係から第２の位置関係になったと特定すると、表示制御部１３０の制御により、メール受信履歴３００などの複数件分の履歴が上側表示面１１ａ及び下側表示面１２ａに同時に表示される。これにより、ユーザは、上側筐体１をスライドさせるだけで、メール受信履歴３００などの履歴の一覧を確認することができる。
【０１０６】
図２７は、露出部分１２ａａに着信履歴２００だけが表示される際の携帯電話機１００において、上側表示面１１ａ及び下側表示面１２ａに着信履歴２００の一覧が表示されている様子の一例を示す図である。図２７に示される例では、１０件分の着信履歴２００が、上側表示面１１ａ及び下側表示面１２ａにわたって表示されている。
【０１０７】
図２８は、露出部分１２ａａにメール受信履歴３００だけが表示される際の携帯電話機１００において、上側表示面１１ａ及び下側表示面１２ａにメール受信履歴３００の一覧が表示されている様子の一例を示す図である。図２８に示される例では、１０件分のメール受信履歴３００が、上側表示面１１ａ及び下側表示面１２ａにわたって表示されている。
【０１０８】
図２９は、露出部分１２ａａに着信履歴２００及びメール受信履歴３００の両方が表示される際の携帯電話機１００において、上側表示面１１ａ及び下側表示面１２ａに着信履歴２００及びメール受信履歴３００の一覧が表示されている様子の一例を示す図である。図２９に示される例では、１０件分の着信履歴２００と１０件分のメール受信履歴３００とが、新しいもの順に上側表示面１１ａ及び下側表示面１２ａにわたって表示されている。
【０１０９】
なお、図２７〜２９の例では、上側表示面１１ａ及び下側表示面１２ａを使用して履歴を一覧表示したが、上側表示面１１ａ及び下側表示面１２ａのいずれか一方だけに履歴を一覧表示しても良い。
【０１１０】
＜ＰＯ−第１アクティブモードでの表示に関する設定＞
本実施の形態では、ユーザは、ＰＯ−第１アクティブモードの携帯電話機１００における露出部分１２ａａの表示に関して様々な設定を行うことができる。例えば、ユーザは、露出部分１２ａａに表示する情報の設定、つまり、露出部分１２ａａに着信履歴だけを表示するのか、メール受信履歴だけを表示するのか、着信履歴及びメール受信履歴の両方を表示するのかを設定することができる。また、ユーザは、露出部分１２ａａの輝度を設定することができる。さらに、ユーザは、露出部分１２ａａに表示する着信履歴などの情報を制限するか否かを設定することができる。
【０１１１】
図３０は、露出部分１２ａａの表示に関する設定を行うための設定画面５０３が表示されたクローズ状態の携帯電話機１００を示す平面図である。クローズ状態の携帯電話機１００の上側表示面１１ａに対して所定の操作が行われると、上側表示面１１ａには設定画面５０３が表示される。この設定画面５０３には、露出部分１２ａａの表示に関する携帯電話機１００での各種動作条件を選択するための複数の選択ボタン５０３ａ〜５０３ｍが示されている。また設定画面５０３には、選択ボタン５０３ａ〜５０３ｍに対する操作によって選択された動作条件を携帯電話機１００に設定するための設定ボタン５０３ｈと、設定画面５０３の表示を終了するためのキャンセルボタン５０３ｏとが示されている。
【０１１２】
選択ボタン５０３ａは、携帯電話機１００が部分スライド表示を行うことを選択するための操作ボタンである。ここで、部分スライド表示とは、ＰＯ−第１アクティブモードの携帯電話機１００における下側表示面１２ａの露出部分１２ａａに着信履歴等の情報を表示することを意味している。したがって、設定画面５０３において、選択ボタン５０３ａが操作されて携帯電話機１００が部分スライド表示を行うという動作条件が携帯電話機１００に設定されない場合には、ＰＯ−第１アクティブモードの携帯電話機１００では、下側表示面１２ａの表示がオンであるものの露出部分１２ａａには着信履歴などの情報が表示されない。
【０１１３】
選択ボタン５０３ｂ〜５０３ｄは、選択ボタン５０３ａが操作されて携帯電話機１００が部分スライド表示を行うことが選択されたときにだけ操作が有効となる。選択ボタン５０３ｂは、露出部分１２ａａに着信履歴だけ表示することを選択するための操作ボタンである。選択ボタン５０３ｃは、露出部分１２ａａにメール受信履歴だけ表示することを選択するための操作ボタンである。選択ボタン５０３ｄは、露出部分１２ａａに着信履歴及びメール受信履歴の両方を表示することを選択するための操作ボタンである。
【０１１４】
選択ボタン５０３ｅは、携帯電話機１００の周囲の光量（明るさ）に応じて、露出部分１２ａａの輝度を自動的に設定することを選択するための操作ボタンである。選択ボタン５０３ｆは、露出部分１２ａａの輝度の値を所定の高い値に設定することを選択するための操作ボタンである。選択ボタン５０３ｇは、露出部分１２ａａの輝度の値を所定のやや高い値に設定することを選択するための操作ボタンである。選択ボタン５０３ｈは、露出部分１２ａａの輝度の値を所定のやや低い値に設定することを選択するための操作ボタンである。
【０１１５】
選択ボタン５０３ｉは、露出部分１２ａａに表示する情報を制限（フィルタリング）することを選択するための操作ボタンである。選択ボタン５０３ｊ〜５０３ｍは、選択ボタン５０３ｉが操作されて露出部分１２ａａに表示する情報を制限することが選択されたときにだけ操作が有効となる。選択ボタン５０３ｊは、露出部分１２ａａに表示される着信履歴等の情報をグループ１に属する相手先についての情報だけに制限することを選択するための操作ボタンである。選択ボタン５０３ｋは、露出部分１２ａａに表示される情報をグループ２に属する相手先についての情報だけに制限することを選択するための操作ボタンである。選択ボタン５０３ｌは、露出部分１２ａａに表示される情報をグループ３に属する相手先についての情報だけに制限することを選択するための操作ボタンである。選択ボタン５０３ｍは、露出部分１２ａａに表示される情報をグループ４に属する相手先についての情報だけに制限することを選択するための操作ボタンである。
【０１１６】
本実施の形態に係る携帯電話機１００では、記憶部３０ｂにアドレス帳ファイルが記憶されている。アドレス帳ファイルには、複数の人物についての個人情報が登録されている。各個人情報には、例えば、名前、電話番号、電子メールアドレス及び当該個人情報に係る人物が属するグループの番号（１〜４のいずれか一つ）が含まれている。
【０１１７】
以上のような設定画面５０３の選択ボタン５０３ａ〜５０３ｍのそれぞれでは、操作されるとそれに対応する動作条件が選択され、その表示が変化する。そして、選択ボタン５０３ａ〜５０３ｍのそれぞれでは、再度操作されると、対応する動作条件の選択が解除されて、その表示が元に戻る。図３０の例では、選択ボタン５０３ａ，５０３ｄ，５０３ｅ，５０３ｉ，５０３ｋに対応する動作条件が選択されている。そして、設定ボタン５０３ｎが操作されると、選択されている動作条件が携帯電話機１００に設定される。これにより、携帯電話機１００は、選択ボタン５０３ａ〜５０３ｍで選択された動作条件で動作するようになる。
【０１１８】
選択ボタン５０３ａ，５０３ｂが操作されて、露出部分１２ａａに着信履歴だけ表示するという動作条件が携帯電話機１００に設定された場合には、携帯電話機１００は、ＰＯ−第１アクティブモードになると、上述の図９〜１３のような表示を行うようになる。選択ボタン５０３ａ，５０３ｃが操作されて、露出部分１２ａａにメール受信履歴だけ表示するという動作条件が携帯電話機１００に設定された場合には、携帯電話機１００は、ＰＯ−第１アクティブモードになると、上述の図１４〜１６のような表示を行うようになる。選択ボタン５０３ａ，５０３ｄが操作されて、露出部分１２ａａに着信履歴及びメール受信履歴の両方を表示するという動作条件が携帯電話機１００に設定された場合には、携帯電話機１００は、ＰＯ−第１アクティブモードになると、上述の図１７〜１９のような表示を行うようになる。
【０１１９】
また、選択ボタン５０３ｅが操作されて、携帯電話機１００の周囲の光量（明るさ）に応じて露出部分１２ａａの輝度を自動的に設定するという動作条件が携帯電話機１００に設定された場合には、ＰＯ−第１アクティブモードの携帯電話機１００では、下側表示部１２が、バックライト光源の輝度を周囲の光量に応じて設定する。携帯電話機１００には、周囲の光量を検出する光量検出部（図示せず）が設けられており、当該光量検出部の検出結果に基づいて、下側表示部１２はバックライト光源の輝度を調整する。これにより、下側表示面１２ａの露出部分１２ａａの輝度が、周囲の光量に応じて自動的に適切な値となる。
【０１２０】
また、選択ボタン５０３ｆが操作されて、露出部分１２ａａの輝度の値を所定の高い値に設定するという動作条件が設定された場合には、ＰＯ−第１アクティブモードの携帯電話機１００では、下側表示部１２が、バックライト光源の輝度の値を所定の高い値に設定する。選択ボタン５０３ｇが操作されて、露出部分１２ａａの輝度の値を所定のやや高い値に設定するという動作条件が設定された場合や、選択ボタン５０３ｈが操作されて、露出部分１２ａａの輝度の値を所定のやや低い値に設定するという動作条件が設定された場合には、ＰＯ−第１アクティブモードの携帯電話機１００は、設定された動作条件に応じて露出部分１２ａａの輝度を設定する。
【０１２１】
また、選択ボタン５０３ｉ，５０３ｊが操作されて、露出部分１２ａａに表示される着信履歴等の情報をグループ１に属する相手先についての情報だけに制限するという動作条件が携帯電話機１００に設定された場合には、ＰＯ−第１アクティブモードの携帯電話機１００では、グループ１に属する相手先についての履歴だけが露出部分１２ａａに表示される。具体的には、露出部分１２ａａに着信履歴だけが表示される場合には、表示制御部１３０は、記憶部３０ｂ内のアドレス帳ファイルを参照して、記憶部３０ｂに記憶されている数十件分の着信履歴のうち、グループ１に属する発信者についての着信履歴を露出部分１２ａでの表示対象とする。また、露出部分１２ａａにメール受信履歴だけが表示される場合には、表示制御部１３０は、記憶部３０ｂ内のアドレス帳ファイルを参照して、記憶部３０ｂに記憶されている数十件分のメール受信履歴のうち、グループ１に属する送信者についてのメール受信履歴を露出部分１２ａａでの表示対象とする。そして、露出部分１２ａａに着信履歴及びメール受信履歴の両方が表示される場合には、表示制御部１３０は、記憶部３０ｂ内のアドレス帳ファイルを参照して、記憶部３０ｂに記憶されている着信履歴及びメール受信履歴のうち、グループ１に属する発信者についての着信履歴及びグループ１に属する送信者についてのメール受信履歴を露出部分１２ａａでの表示対象とする。選択ボタン５０３ｋ〜５０３ｍに対応する動作条件が設定された場合にも携帯電話機１００は同様に動作する。
【０１２２】
なお、設定画面５０３については、フルオープン状態の携帯電話機１００に表示しても良い。この場合には、設定画面５０３を上側表示面１１ａ及び下側表示面１２ａにわたって表示しても良いし、上側表示面１１ａ及び下側表示面１２ａのどちらか一方にだけ表示しても良い。
【０１２３】
また、設定画面５０３において、露出部分１２ａａに表示される着信履歴を、不在着信についての着信履歴（図９のような着信履歴２００）だけに制限することを選択するための選択ボタンや、露出部分１２ａａに表示されるメール受信履歴を未開封の電子メールについてのメール受信履歴（図１４のようなメール受信履歴３００）だけに制限することを選択するための選択ボタンを設けても良い。
【０１２４】
以上のように、部分オープン状態の携帯電話機１００がＰＯ−第１アクティブモードで動作する際には、上側表示面１１ａの全領域の表示がオフであるとともに、下側表示面１２ａの露出部分１２ａａに表示される情報を切り替えることができる。したがって、携帯電話機１００により多くの情報を表示しつつ、携帯電話機１００の表示面が発する光を抑制することができる。よって、映画館等の暗い場所において携帯電話機１００が表示する着信履歴等を確認する場合であっても、携帯電話機１００が発する光が周囲の邪魔となることを抑制できる。また、就寝中に携帯電話機１００に表示される着信履歴等を確認する場合であっても、携帯電話機１００が発する光をまぶしく感じることを抑制できる。さらに、携帯電話機１００の消費電力を低減することができる。
【０１２５】
また、本実施の形態のように、露出部分１２ａａの表示をスクロールさせることによって、当該露出部分１２ａａに表示される情報を切り替えることによって、ユーザは情報を一つ一つ確認しながら切り替えることができる。
【０１２６】
また、上述のように、下側表示面１２ａにおける露出部分１２ａａ以外の部分の表示をオフにすることによって、携帯電話機１００の表示面が発する光をさらに抑制することができるとともに、携帯電話機１００の消費電力をさらに低減することができる。
【０１２７】
なお、上記の例では、ユーザが指を上側表示面１１ａに接触させた状態で上下方向に移動させると、露出部分１２ａａに表示される情報を切り替えていたが、上側表面１１ａに対する他の操作によって、露出部分１２ａａに表示される情報を切り替えてもよい。例えば、ユーザが上側表示面１１ａに対して指を接触させてすぐに離す操作を行うたびに、露出部分１２ａａに次ぎの履歴を表示しても良い。
【０１２８】
また、上記の例では、露出部分１２ａａに着信履歴等の履歴を１件分だけ１行で表示したが、複数件分の履歴を複数行で表示しても良い。
【０１２９】
また、上記の例では、部分オープン状態の携帯電話機１００の動作モードとして、ＰＯ−第１アクティブモード〜ＰＯ−第３アクティブモードを設けたが、ＰＯ−第１アクティブモードだけを設けても良い。この場合には、ＣＬ−アクティブモードの携帯電話機１００が部分オープン状態になるとＰＯ−第１アクティブモードになり、ＦＯ−アクティブモードの携帯電話機１００が部分オープン状態になるとＰＯ−第１アクティブモードになる。
【０１３０】
また、上記の例では、記憶部３０ｂを制御部３０に含めて説明したが、制御部３９とは別に記憶部３０ｂが存在するものとしても良い。
【０１３１】
＜第１の変形例＞
上述の例では、下側表示面１２ａの露出部分１２ａａに着信履歴とメール受信履歴を表示させていたが、他の情報を表示させても良い。例えば、Ｗｅｂサーバからの配信ニュースを露出部分１２ａａに表示させても良い。以下に露出部分１２ａａにＷｅｂサーバからの配信ニュースを表示する際の携帯電話機１００の動作について説明する。
【０１３２】
通信制御部１３２は、ＲＳＳリーダ等を用いて、Ｗｅｂサーバから定期的にあるいは不定期的に配信される配信ニュースを無線通信部３１を通じて取得して記憶部３０ｂに記憶する。そして、表示制御部１３０は、携帯電話機１００がＰＯ−第１アクティブモードになると、記憶部３０ｂ内の最新の配信ニュースを露出部分１２ａａに表示する。図３１は露出部分１２ａａにＷｅｂサーバからの配信ニュース６００が表示されている様子の一例を示す図である。露出部分１２ａａにおいては、配信ニュース６００が右から左に文字が流れるように表示される。
【０１３３】
また、携帯電話機１００が使用される姿勢において、ユーザが指を上側表示面１１ａに接触させた状態で上側に移動させると、操作内容特定部１３１がその操作内容を特定し、下側表示面１２ａの露出部分１２ａａの表示が上側にスクロールする。これにより、着信履歴等を表示する場合と同様に、露出部分１２ａａに表示されている配信ニュース６００よりも古い配信ニュース６００が露出部分１２ａａに表示される。図３２は、図３１の配信ニュース６００よりも古い配信ニュース６００が露出部分１２ａａに表示されている様子の一例を示す図である。
【０１３４】
一方で、携帯電話機１００が使用される姿勢において、ユーザが指を上側表示面１１ａに接触させた状態で下側に移動させると、操作内容特定部１３１がその操作内容を特定し、露出部分１２ａａの表示が下側にスクロールする。これにより、着信履歴等を表示する場合と同様に、露出部分１２ａａに表示されている配信ニュース６００よりも新しい配信ニュース６００が露出部分１２ａａに表示される。
【０１３５】
また、携帯電話機１００が使用される姿勢において、ユーザが指を上側表示面１１ａに接触させた状態で左側に移動させると、操作内容特定部１３１がその操作内容を特定し、露出部分１２ａａに表示されている配信ニュース６００が選択された状態となる。露出部分１２ａａに表示されている配信ニュース６００が選択された状態となると、図３３に示されるように、当該配信ニュース６００が選択されていることを示す選択済みマーク６０１が当該配信ニュース６００と並べられて露出部分１２ａａに表示される。
【０１３６】
また、配信ニュース６００が選択された状態において、携帯電話機１００が使用される姿勢でユーザが指を上側表示面１１ａに接触させた状態で右側に移動させると、操作内容特定部１３１がその操作内容を特定し、露出部分１２ａａに表示されている配信ニュース６００の選択が解除される。配信ニュース６００の選択が解除されると、露出部分１２ａａから選択済みマーク６０１が消去される。
【０１３７】
ＰＯ−第１アクティブモードの携帯電話機１００において、露出部分１２ａａに表示されている配信ニュース６００が選択された状態で、ユーザが当該携帯電話機１００の上側筐体１をスライドさせて、当該携帯電話機１００がクローズ状態に変化すると、図３４に示されるように、上側表示面１１ａの全体に当該配信ニュース６００が表示されるようになる。また、ＰＯ−第１アクティブモードの携帯電話機１００において、露出部分１２ａａに表示されている配信ニュース６００が選択された状態で、ユーザが当該携帯電話機１００の上側筐体１をスライドさせて、当該携帯電話機１００がフルオープン状態に変化すると、上側表示面１１ａ及び下側表示面１２ａにかけて当該配信ニュース６００が表示されるようになる。なお、この場合には、上側表示面１１ａ及び下側表示面１２ａのいずれか一方だけに配信ニュース６００を表示してもよい。
【０１３８】
また、ＰＯ−第１アクティブモードの携帯電話機１００において、露出部分１２ａａに表示されている配信ニュース６００が選択されていない状態で、ユーザが当該携帯電話機１００の上側筐体１をスライドさせて、当該携帯電話機１００がフルオープン状態に変化すると、図３５に示されるように、上側表示面１１ａ及び下側表示面１２ａの両方を使用して配信ニュース６００が一覧表示される。
【０１３９】
このように露出部分１２ａａに配信ニュースを表示する場合には、図３０の設定画面５０３に、露出部分１２ａａに配信ニュースだけを表示することを選択するための選択ボタンを設けることによって、ユーザは、着信履歴だけの表示、メール受信履歴だけの表示、着信履歴及びメール受信履歴の両方の表示、及び配信ニュースだけの表示のいずれか一つを選択することができる。
【０１４０】
＜第２の変形例＞
上述の例では、携帯電話機１００の姿勢にかかわらず、設定画面５０３で設定された情報を露出部分１２ａａに表示していたが、姿勢検出部３２が検出する携帯電話機１００の姿勢に応じて、露出部分１２ａａに表示する情報の種類を変更しても良い。
【０１４１】
例えば、図３６に示されるように、携帯電話機１００の姿勢が、上側表示面１１ａを見て右側に音声出力部２０、左側に音声入力部２１がそれぞれ位置するような姿勢であると姿勢検出部３２が検出すると、露出部分１２ａａには着信履歴２００を表示する。
【０１４２】
また、図３７に示されるように、携帯電話機１００の姿勢が、上側表示面１１ａを見て左側に音声出力部２０、右側に音声入力部２１がそれぞれ位置するような姿勢であると姿勢検出部３２が検出すると、露出部分１２ａａにはメール受信履歴３００を表示する。
【０１４３】
そして、図３８に示されるように、携帯電話機１００の姿勢が、上側表示面１１ａを見て上側に音声出力部２０、下側に音声入力部２１がそれぞれ位置するような姿勢であると姿勢検出部３２が検出すると、露出部分１２ａａには配信ニュース６００を表示する。
【０１４４】
このように、姿勢検出部３２が検出する携帯電話機１００の姿勢に応じて、露出部分１２ａａに表示する情報の種類を変更することによって、ユーザは携帯電話機１００の姿勢を変化させるだけで、複数種類の情報を確認することができる。
【０１４５】
＜第３の変形例＞
携帯電話機１００の購入直後や、記憶部３０ｂ内の着信履歴やメール受信履歴がすべて消去された場合などにおいては、携帯電話機１００がＰＯ−第１アクティブモードに変化した場合であっても、露出部分１２ａａに表示すべき情報は存在しない。このような場合には、表示すべき情報が存在しない旨を露出部分１２ａａに表示しても良い。図３９は、表示すべき情報が存在しない旨が露出部分１２ａａに表示されている様子の一例を示す図である。
【０１４６】
また、露出部分１２ａａに表示すべき情報が存在しない場合には、図４０に示されるように、現在時刻（日付も含む）７０２を露出部分１２ａａに表示しても良い。
【０１４７】
また、露出部分１２ａａに表示すべき情報が存在しない場合には、図４１に示されるように、露出部分１２ａａの表示をオフにしても良い。これにより、消費電力をさらに低減することができる。この場合には、下側表示面１２ａの全領域をオフにすることが消費電力を低減する観点から望ましいが、露出部分１２ａａだけをオフにしても良い。図４１の斜線は表示がオフされている様子を示している。
【０１４８】
＜第４の変形例＞
携帯電話機１００がＰＯ−第１アクティブモードで動作している際に、通信制御部１３２が、無線通信部３１での通話の着信を検出すると、表示制御部１３０は、図４２に示されるように、当該着信を露出部分１２ａａに表示しても良い。このとき、上側表示面１１ａに対する操作は無効とされる。図４２の例では、露出部分１２ａａには、着信中であることを示す情報８００と、着信相手先を特定するための相手先情報８０１と、着信相手先の電話番号８０２とが表示されている。
【０１４９】
そして、着信中の携帯電話機１００の上側筐体１をユーザがスライドし、携帯電話機１００が部分オープン状態からクローズ状態に変化すると、通信制御部１３２は、無線通信部３１を制御して着信応答を行う。これにより、携帯電話機１００では、着信相手先との通話が開始する。このように、ユーザは、上側筐体１をスライドさせるだけで、着信に対して応答することができる。
【符号の説明】
【０１５０】
１  上側筐体
２  下側筐体
１１  上側表示部
１１ａ  上側表示面
１２  下側表示部
１２ａ  下側表示面
３１  無線通信部
３２  姿勢検出部
１３０  表示制御部
１３１  操作内容特定部
１３２  通信制御部
１３３  位置関係特定部
２００  着信履歴
３００  メール受信履歴
５０１  閲覧画面
５０２  編集画面
５０３  設定画面
６００  配信ニュース
【図１】
2011124890.tif 000003
【図２】
2011124890.tif 000004
【図３】
2011124890.tif 000005
【図４】
2011124890.tif 000006
【図５】
2011124890.tif 000007
【図６】
2011124890.tif 000008
【図７】
2011124890.tif 000009
【図８】
2011124890.tif 000010
【図９】
2011124890.tif 000011
【図１０】
2011124890.tif 000012
【図１１】
2011124890.tif 000013
【図１２】
2011124890.tif 000014
【図１３】
2011124890.tif 000015
【図１４】
2011124890.tif 000016
【図１５】
2011124890.tif 000017
【図１６】
2011124890.tif 000018
【図１７】
2011124890.tif 000019
【図１８】
2011124890.tif 000020
【図１９】
2011124890.tif 000021
【図２０】
2011124890.tif 000022
【図２１】
2011124890.tif 000023
【図２２】
2011124890.tif 000024
【図２３】
2011124890.tif 000025
【図２４】
2011124890.tif 000026
【図２５】
2011124890.tif 000027
【図２６】
2011124890.tif 000028
【図２７】
2011124890.tif 000029
【図２８】
2011124890.tif 000030
【図２９】
2011124890.tif 000031
【図３０】
2011124890.tif 000032
【図３１】
2011124890.tif 000033
【図３２】
2011124890.tif 000034
【図３３】
2011124890.tif 000035
【図３４】
2011124890.tif 000036
【図３５】
2011124890.tif 000037
【図３６】
2011124890.tif 000038
【図３７】
2011124890.tif 000039
【図３８】
2011124890.tif 000040
【図３９】
2011124890.tif 000041
【図４０】
2011124890.tif 000042
【図４１】
2011124890.tif 000043
【図４２】
2011124890.tif 000044